(57)【要約】  本発明は、エレクトロルミネッセント装置に関する。環境照明を提供することは、エレクトロルミネッセント装置であって、エレクトロルミネッセント層と、前記エレクトロルミネッセント層に電荷を供給するための、前記エレクトロルミネッセント層の第１面に配置される第１電極層、及び前記エレクトロルミネッセント層の前記第１面に対向する第２面に配置される第２電極層と、前記第１電極層を電荷供給源と接触させる少なくとも１つの第１接触要素と、前記第２電極層を前記電荷供給源と接触させる少なくとも１つの第２接触要素と、を有し、前記第１及び第２接触要素が、前記エレクトロルミネッセント層から放射される光の強度が前記エレクトロルミネッセント層の領域にわたって変化するように、互いに非対称的に構成される、エレクトロルミネッセント装置によって可能である。
2009529760.tif 000002
【特許請求の範囲】
【請求項１】
エレクトロルミネッセント装置であって、
−エレクトロルミネッセント層と、
−前記エレクトロルミネッセント層に電荷を供給するための、前記エレクトロルミネッセント層の第１面に配置される第１電極層、及び前記エレクトロルミネッセント層の前記第１面に対向する第２面に配置される第２電極層と、
−前記第１電極層を電荷供給源と接触させる少なくとも１つの第１接触要素と、
−前記第２電極層を前記電荷供給源と接触させる少なくとも１つの第２接触要素と、
を有し、
−前記第１及び第２接触要素が、前記エレクトロルミネッセント層から放射される光の強度が前記エレクトロルミネッセント層の領域にわたって変化するように、互いに非対称的に構成される、
エレクトロルミネッセント装置。
【請求項２】
請求項１に記載のエレクトロルミネッセント装置であって、前記第１接触要素が、前記第１電極層の少なくとも１つの外側縁部において配置される接触部である、エレクトロルミネッセント装置。
【請求項３】
請求項１に記載のエレクトロルミネッセント装置であって、前記第１接触要素が、前記第１電極層の少なくとも１つの角部において配置される接触部である、エレクトロルミネッセント装置。
【請求項４】
請求項１に記載のエレクトロルミネッセント装置であって、前記第１接触要素の少なくとも２つが、前記第１電極層の対向する側に配置される、エレクトロルミネッセント装置。
【請求項５】
請求項１に記載のエレクトロルミネッセント装置であって、前記第１接触要素が、前記第１電極層の１つの縁部から他方の縁部へ延在する接触帯板である、エレクトロルミネッセント装置。
【請求項６】
請求項１に記載のエレクトロルミネッセント装置であって、前記第１接触要素が、前記第１電極層の領域内において配置される接触帯板である、エレクトロルミネッセント装置。
【請求項７】
請求項１に記載のエレクトロルミネッセント装置であって、前記第１接触要素のうちの少なくとも２つが、前記第１電極層の１つの縁部から他方の縁部へ延在する行として配置される、エレクトロルミネッセント装置。
【請求項８】
請求項１に記載のエレクトロルミネッセント装置であって、前記第２接触要素が、前記第２電極層の前記外側縁部に沿って配置される接触リングである、エレクトロルミネッセント装置。
【請求項９】
請求項１に記載のエレクトロルミネッセント装置であって、前記第２接触要素のうちの少なくとも２つが、前記第２電極層の１つの縁部から他方の縁部へ延在し、行として配置される前記第１接触要素に直角に延在する列として構成される、エレクトロルミネッセント装置。
【請求項１０】
請求項１に記載のエレクトロルミネッセント装置であって、前記電極層の少なくとも１つが、金属又は金属酸化物から得られる、エレクトロルミネッセント装置。
【発明の詳細な説明】
【技術分野】
【０００１】
本発明は、エレクトロスミネッセント（ＥＬ）装置に関する。
【背景技術】
【０００２】
エレクトロルミネッセント（ＥＬ）装置は、通常、ＥＬ材料を有する装置である。ＥＬ材料は、電流がＥＬ材料を流れる場合に、光を発することが可能である。ＥＬ装置に関して使用される材料は、発光ポリマ又は小有機分子であり得る。有機装置は、例えば、従来から知られる有機発光ダイオード（ＯＬＥＤ）であり得る。ＥＬ装置を活性化させるために、ＥＬ材料の表面において沈着される電極を用いてＥＬ材料へ電流が印加される。
【０００３】
ＯＬＥＤなどのＥＬ装置は、電極間に沈着されるＥＬ材料を含む。適切な電圧を印加すると、電流が、ＥＬ材料を通じてアノードからカソードへ流れる。ＥＬ材料内部における空孔及び電子の放射的再結合により、光が生成される。異なる有機ＥＬ材料を使用して、ＥＬ装置から放射される光の色は、変更され得る。
【０００４】
有機ＥＬ材料を使用するＥＬ装置は、例えば、一般照明などの大面積照明応用例に関して適している。大照明面積を有するタイル領域へ組み合わせられる、複数のＥＬ装置を使用することは知られている。
【０００５】
単一のＥＬ装置のサイズは、数平方センチメートルであり得、タイル状領域のサイズは、複数のこの数平方センチメートルからなり得る。ＥＬ装置は、一般照明に関して、並びに、効果照明及び環境照明に関して使用される平面直視照明器具を作製するのに適している。
【０００６】
例えば、一般照明に関して、従来技術によるＥＬ装置は、全体ＥＬ表面における発光の均一な分布が得られるように、設計される。この光の均一な分布は、ＥＬ装置の電極層内に配置される環状電極を用いることによって有利に達成される。ＥＬ装置から放射される光は、電極からの距離が増加すると減少する。その理由は、これらの距離におけるＥＬ層を通ずる電流が少なくなるに連れて、少ない光が出力されるようになるからである。
【０００７】
環境照明、すなわち、光を用いた部屋における環境の創作は、当該技術分野において益々注目を集めている。環境創作に関して特に適された照明器具が提供されている。環境照明は、光効果、及び多色光の動的な制御を特徴とする。動的変化は、通常、色と強度との間における滑らかな遷移として考えられている。
【０００８】
上述のように、現在のＥＬ装置は、所与のＥＬ装置においてほとんど均一な光分布が得られるように、最適化される。しかし、直視型環境創作に関しては、制御可能で、不均一な光の分布が好ましくあり得る。
【発明の開示】
【発明が解決しようとする課題】
【０００９】
したがって、本発明の目的は、知覚される輝度がＥＬ装置領域において変化するように電極を構成することである。本発明の更なる目的は、ＥＬ装置を用いた動的な照明を提供することである。本発明の別の目的は、ＥＬ装置における柔軟な画素を実現することである。
【課題を解決するための手段】
【００１０】
本発明のこれら及び他の目的は、エレクトロルミネッセント装置であって、エレクトロルミネッセント層と、前記エレクトロルミネッセント層に電荷を供給するための、前記エレクトロルミネッセント層の第１面に配置される第１電極層、及び前記エレクトロルミネッセント層の前記第１面に対向する第２面に配置される第２電極層と、前記第１電極層を電荷供給源と接触させる少なくとも１つの第１接触要素と、前記第２電極層を前記電荷供給源と接触させる少なくとも１つの第２接触要素と、を有し、前記第１及び第２接触要素が、前記エレクトロルミネッセント層から放射される光の強度が前記エレクトロルミネッセント層の領域にわたって変化するように、互いに非対称的に構成される、エレクトロルミネッセント装置によって提供される。
【００１１】
互いに非対称的に接触要素を構成することは、ＥＬ装置において不均一であるが制御可能な光分布を提供することが分かっている。不均一な光分布は、アノード層又はカソード層のいずれかの独立した電極層に接触要素を配置することによって達成され得る。均一でない光分布は、ルミネッセント層において不均一な電流分布によって達成される。不均一な電流分布は、接触要素の非対称な配置によってもたらされる。
【００１２】
エレクトロルミネッセント層は、好ましくは有機層であり得る。ＥＬ装置は、好ましくはＯＬＥＤ装置であり得る。
【００１３】
ＥＬ層は、第１及び第２電極層によって板張りされる。これらの電極は、ＥＬ層の対向する表面に設けられ得る。電極層は、好ましくは、電極層に均一に印加される電荷をＥＬ層へ分配するために、低オーミック抵抗を有する。
【００１４】
電極層を電荷供給源と接触させる接触要素は、電極層において含まれ得る。好ましくは、接触要素は、電極層に埋め込まれ得、これにより、低い高さの装置を提供し得る。接触要素は、電極層として同一の材料でもあり得るが、異なるオーミック抵抗値を有し得る。
【００１５】
ＥＬ層から放射される光の不均一な分布を得るために、電極層における接触要素が、互いに非対称であるように配置されることも好ましい。互いに非対称であることは、第１電極層における第１接触要素の配置が電極層における第２接触要素の配置と異なることになり得る。ＥＬ層の両側において同様な接触要素、好ましくは環状接触要素が配置されていた従来技術によるＥＬ装置とは対照的に、本発明は、接触要素を、これらの接触要素が互いにサイズ、位置、形状、向き、及び／又は設計において異なり得るように、配置することを提供する。
【００１６】
実施例に従うと、電極層のオーミック抵抗値が電極層において配置されるそれぞれの接触要素の抵抗値よりも低い（＜）又は遥かに低い（＜＜）。カソード電極層の抵抗値がアノード電極層の抵抗値よりも小さいことが更に提案される。しかし、アノード層及びカソード層の電極の抵抗値が等しいことも可能であり得る。
【００１７】
実施例に従うと、接触要素は、電極層の外側縁部における接触点として配置される。接触点は、電極層の外側縁部において位置される小さい細長片であり得る。このような接触点のうちの２つが電極層の対向する縁部、好ましくはアノード層において配置され得ることが好ましい。
【００１８】
接触点は、電極層の角部において、好ましくは電極層の２つの対向する角部において、好ましくはアノード層において、配置され得ることが更に好ましい。
【００１９】
実施例に従うと、接触要素を電極層の縁部から縁部へ延在する帯板として配置することも好ましくあり得る。更に好ましいのは、電極層の中間部において位置され、またこの層の縁部へ延在しない接触要素として細長片を配置することである。
【００２０】
実施例に従うと、第２接触要素は、第２電極層の外側縁部に沿って配置される接触リングであり得る。接触点又は細長片がそれぞれの他の電極層において、どの層に配置されるかに依存して、接触リングが配置され得る。
【００２１】
実施例に従うと、複数の行が第１接触要素を構成し得、これらの行に直角であり、ＥＬ層のそれぞれの他の側に配置される複数の列が第２接触要素を構成し得る。行及び列が互いに交差する領域において、画素要素が生成され得る。画素要素は、光を発するＥＬ装置における点として考慮され得る。行及び列の交差部における電流の経路により、これらの位置において、最も大きい光がＥＬ装置によって放射される。
【００２２】
接触要素のオーミック抵抗値を変化させることも提供され得る。好ましくは、接触要素の抵抗値は、交差部領域において低く、接触要素の他の領域において高くあり得る。抵抗値の勾配を設けることによって、発光の追加的な勾配が提供され得る。
【００２３】
本発明に従う更なる有利な点は、請求項から導き出され得る。
【００２４】
本発明のこれら及び他の点は、後述の図面から明らかであり、これらの図面を参照して非限定的な例を用い説明される。
【発明を実施するための最良の形態】
【００２５】
図１は、当該技術分野において知られているＥＬ装置１、好ましくはＯＬＥＤ装置を例示する。簡便性のために、３つの層構造としてトップ放射型ＯＬＥＤが示される。
【００２６】
示されるのは、アノード層２ａ及びカソード層２ｂを有するＯＬＥＤ１である。アノード層２ａ及びカソード層２ｂの間において、エレクトロルミネッセント層４、好ましくは有機ＥＬ層４が配置され、例えば、１つ以上の空孔及び／又は電子伝導層も含み得る。
【００２７】
アノード層２ａ及び／又はカソード層は透明であり得る。アノード層２ａ及びカソード層２ｂのオーミック抵抗値は、低いことが好ましい。アノード層２ａは、オーミック抵抗値Ｒａを有し、カソード層２ｂは、オーミック抵抗値Ｒｃを有する。アノード層２ａ及びカソード層２ｂは、好ましくは、ＥＬ層４の２つの対向する表面を覆う。アノード層２ａは、好ましくは、酸化インジウム−スズ（ＩＴＯ）を透明電極として含む。カソード層２ｂは、金属から、好ましくはLiF/Alなどの低仕事関数を有する金属から作製され得る。
【００２８】
ＥＬ装置１は、接触要素６ａ・６ｂを用いて電流源８へ接続される。接触要素６ａ・６ｂは、アノード層２ａ及びカソード層２ｂにそれぞれに沈着される。従来技術によると、接触要素６は、環状である。両方の接触要素が同一の形状を有し、ＥＬ層４の対向する側に配置される。ＥＬ装置１における最良な電流均一性に関して、接触要素６は、アノード層２ａ及びカソード層２ｂの両方の周辺端部に沿って延在する。
【００２９】
この種類の「環状注入」は、ＥＬ層４を通してずっとほとんど均一な電流分布を提供することを可能にする。アノード層２ａ及びカソード層２ｂの伝導性がより高いほど、電流分布はより更に均一である。
【００３０】
ＥＬ装置１からの放射光の分布は、ＥＬ層４における電流に依存する。均一な電流分布は、均一な光放射をもたらす。
【００３１】
図２に例示されるように、図１に示される電流環状注入を有する正方形ＥＬ装置１の光出力は、均一である。図２に例示されるのは、ＥＬ装置１の表面における放射光の量である。平面１２にから見られ得るように、図１に従うＥＬ装置は、均一な光分布を有する。
【００３２】
環境照明を提供するために、不均一な光分布が所望である。したがって、実施例に従うと、図３に従う配置が提供される。図３ａに例示されるように、アノード層２ａは、接点である接触要素６ａと接触される。カソード層２ｂは、接触要素６ｂを用いて電流源８へ接触される。
【００３３】
本発明に従う接触要素は、電極材料（Ｒａ及びＲｃ）の抵抗値とは異なる抵抗値Ｒcontactを有する要素として理解され得る。接触要素材料は、対応する電極と同一の又は異なる材料の何れかであり得る。接触要素は、対応する電極よりも相当小さい又は大きい抵抗値を有し得る。
【００３４】
接触要素及び電極材料が同一の材料で作製される場合、接触要素の抵抗値は、材料層高さを調節することによって調節され得る。例えば、ＩＴＯにおける低オーミック接触領域は、始めにＩＴＯをガラスに特定の厚さｔ１で沈着させ、その後、この第１ＩＴＯ層に異なる厚さｔ２のＩＴＯの小さい細長片を沈着することによって達成され得る。
【００３５】
接触要素及び電極材料が異なる材料から作製される場合、接触領域は、Ｃｕ又はＡｇなどの金属から作製され得る。ＩＴＯ領域の場合、接触領域は、同様に透明であり得る。この場合、金属は、非常に小さい厚さである、又はＩＴＯ層に沈着される一群の小さい見えない線又は格子であり得る。線又は格子のサイズは、光が線又は格子を通じて放射し得るが、同時に線／細長片が人間の目には見えないように、作製され得る。
【００３６】
接触層は、例えば蒸着、蒸発、噴霧、印刷、及びめっきなどによって、電極材料の沈着において及び／又は後に形成され得る。接触層は、例えば、接触領域における抵抗値を調整するために適切な帯板、格子、又はいずれかの構造などの、同質な材料及び／又は非同質な材料のいずれかから作製され得る。格子型接触層を用いることは、透明性が必要とされるＩＴＯ層に関して有利であり得る。更に、接触領域は、異なる材料のスタックから形成され得る。
【００３７】
確認され得るように、接触要素６ａは、アノード層２ａの対向する縁部の中間において配置される。接触要素６ａの抵抗値は、アノード層２ａの抵抗値よりも小さい。接触要素６ａは、図３ｂに例示されるように、環状接触要素６ｂへ非対称に配置される。
【００３８】
図３ａ及び図３ｂに従う配置は、ＥＬ層４における不均一な電流分布を提供する。この不均一な電流分布は、図４に例示されるようにＥＬ装置１における不均一な光出力を提供する。図４から確認され得るように、光分布は、プロット１４によって表わされる。接触要素６ａの位置に対応する位置１６において、光出力は、接触要素６ａから離れている箇所よりも遥かに高い。光出力は、接触要素６ａからの距離が増加するに従い減少する。光出力の減少の勾配は、接触要素６ａ及びアノード層２ａの抵抗値の関数であり得る。アノード層２ａ抵抗値Ｒａが高いほど、位置１６から離れた箇所の光分布の減少はより急勾配になる。光出力は、更に、ＥＬ層のＩＶ特性にも依存し得る。
【００３９】
図５ａは、アノード層２ａの対向する角部における接触要素６ａの別の可能な配置を例示する。図５ｂにおいて例示されるように接触要素６ｂは、カソード層２ｂにおいて環状である。
【００４０】
図６は、ＥＬ装置１における電流分布に同様に従う光分布を例示する。位置１６において、光出力は、他の位置よりも高い。位置１６は、接触要素６ａの位置に対応する。
【００４１】
図７は、接触要素６ａの更なる配置を例示する。例示されるように、アノード層２ａに埋め込まれるように、環状接触要素６ａが配置される。図７ｂに例示されるように、接触要素６ｂは、カソード層２ｂの１つの縁部から対応する他方の縁部へ延在する細長片として構成される。接触要素６ｂの抵抗値は、カソード層２ｂの抵抗値Ｒｃよりも遥かに小さくあり得る。接触要素６ｂは接地へ接続され得る一方で、接触要素６ａは駆動電位へ接続され得るが、逆もあり得る。
【００４２】
結果として、図８に示されるように、光分布は、位置１６において、接触要素６ｂの方向に沿って上昇を有する。
【００４３】
図９に例示されるのは、更なる配置である。アノード層２ａは、図９ａに例示されるように、環状接触要素６ａを通じて接触される。カソード層２ｂは、細長片状接触要素６ｂを用いて接触される。同様に、他の全ての実施例におけるように、接触要素６ｂの抵抗値も、カソード層２ｂの抵抗値Ｒｃよりも遥かに小さく選択され得る（Ｒcontact＜＜Ｒｃ）。アノード層２ａの抵抗値Ｒａを接触要素６の抵抗値Ｒcontactと類似するように選択することも可能であり得る。
【００４４】
図１０に例示されるように、位置１６において、光分布は、接触要素６ｂの近くのより高い電流が原因の上昇を有する一方で、接触要素６ｂから離れる電流は減少される。
【００４５】
図１１は、接触要素６の更なる配置を例示する。図１１ａにおいて確認され得るように、接触要素６ａは行として配置される。接触要素６ｂは図１１ｂに例示されるように列として配置される。
【００４６】
アノード層２ａは、接触要素６ａと一緒になり、接触要素６ｂを有するカソード層２ｂに対向するＥＬ層４の側において配置される。接触要素６の行及び列は、上面図において見られる場合、交差部、すなわち交差部領域を有する。電流分布は、電流の流れが、交差部の位置において最も高く、交差部から距離に従い減少するようにされる。
【００４７】
図１２に例示されるように、位置１６は、全ての接触要素６が駆動電源に接続される場合、交差部領域における光出力を表わす。これらの位置において、光出力は最も高く、光出力は、交差部からの距離が増加するに連れて減少する。行及び列のそれぞれを通ずる電流は、互いに独立して駆動され得る。駆動電源をｎ番目の行及びｍ番目の列に接続する場合、光出力は、これらの接触要素の交差部において生成される。アノード層及びカソード層における接触要素６の抵抗値Ｒｃ及びＲａの適切な選択により、図１２に例示されるような、滑らかな光分布が達成され得る。
【００４８】
図１３に例示され、既に上述されるように、接触要素のそれぞれを通ずる電流の流れは、個別に制御され得る。図１３ａは、横座標に沿った、正方形のＥＬ装置の物理的な延在を示す。縦座標に沿って、発光層４を通ずる電流の流れの絶対値が示される。例示される例において、駆動電源は、行n=2及び列m=2に接続される一方で、残りの行及び列は浮いている、すなわちこれらは駆動電源に接続されていない。
【００４９】
図１３ｂは、電流１８が調節され得ることを例示する。光分布は、ＥＬ層４を通ずるカソード層２ｂからアノード層２ａへの電流の関数であることが特記されるべきである。したがって、交差部における行及び列の間の電流が高いほど、光出力は高い。図１４に例示されるように、光出力は、行／列のそれぞれに関して調節される電流に依存する。確認され得るように、行２及び列２の交差部に対応する位置１６において、光出力は最大である。光出力を表わす傾斜１４の勾配は、電流１８を調節することによって調節され得る。最大電流を増加させることによって、光出力は増加され得る。
【００５０】
図１４は、光出力が活性化された接触要素n=m=2の両方の交差部において最高であることを示す。光出力は、交差部からの距離が増加すると低下する。残りの８つの交差部において、光出力は、低オーミック浮動接触要素によりＥＬ層の両端の電圧がほとんど一定であるという事実が原因である挙動のような台地を形成する。
【００５１】
実施例に従うと、図１５に示されるように、特別な形状が、特別に形成された接触要素６を用いて生成され得る。図１５ａにおいて例示されるように、接触要素６ａは環状である一方で、図１５ｂに示されるように、接触要素６ｂは文字形状である。
【００５２】
電流に従う光出力は、図１６に示される。確認され得るように、接触要素６ｂの形状は、光出力において描画される。
【００５３】
図１７は、ＥＬ要素１のタイル状領域を示す。領域２０は、ＥＬ要素１の配列からなり得、ＥＬ要素１のそれぞれは、照明効果を提供する。各ＥＬ要素１は、異なる効果を提供し得、したがって、複数の光学効果を提供することが可能である領域２０を形成する。
【００５４】
異なる色を有するＥＬ素子１を提供することも可能であり得る。これらの色付きＥＬ要素をそれぞれの上にスタックし、ＥＬ要素において接触要素を非対称的に設けることによって、異なる色を有する色効果が可能である。層の接触要素を個別に制御することも更に可能であり、これにより、スタックされるＥＬ装置の表面にわたって多色光の傾斜を可能にし得る。
【００５５】
好ましい実施例に適用される本発明の基礎的な新規の特徴を示し、説明し、そして指摘されている一方で、記載される装置及び方法の形式及び詳細において様々な省略、置換及び変更が、本発明の精神から逸脱することなく当業者によってなされ得ることを理解する。例えば、同一の結果を達成するほぼ同一のやり方でほぼ同一の機能を実行する要素及び／又は方法ステップの全ての組合せは、本発明の範囲に含まれることを明示的に意図される。更に、本発明のいずれかの開示された形式又は実施例と組み合わせて示される及び／又は説明される構造、要素及び／又は方法は、一般的な設計事項として他のいずれかの開示される、説明される、又は示唆される形式で組み込まれ得ることを認識されるべきである。したがって、本文書に添付される請求項の範囲によって示されるようにのみ制限されることを意図している。いずれの参照符号も請求項の範囲を制限するように解釈されるべきでないことも認識されるべきである。
【図面の簡単な説明】
【００５６】
【図１】図１は、対称的な接触要素を有する簡素化されたＥＬ装置構造である。
【図２】図２は、図１に従うＥＬ装置における光出力の等高線プロット図である。
【図３】図３は、アノード及びカソード電極層における接触要素の配置である。
【図４】図４は、図３に従うＥＬ装置の光出力の等高線プロット図である。
【図５】図５は、実施例に従う接触要素の配置である。
【図６】図６は、図５に従うＥＬ装置の光出力の等高線プロット図である。
【図７】図７は、実施例に従う接触要素の配置である。
【図８】図８は、図７に従うＥＬ装置の光出力の等高線プロット図である。
【図９】図９は、実施例に従う接触要素の更なる配置である。
【図１０】図１０は、図９に従うＥＬ装置の光出力の等高線プロット図である。
【図１１】図１１は、実施例に従う接触要素の更なる配置である。
【図１２】図１２は、図１１に従うＥＬ装置の光出力の等高線プロット図である。
【図１３】図１３は、図１１に従うＥＬ装置へ電流を印加するための電流分布プロット図である。
【図１４】図１４は、図１１に従うＥＬ装置の光出力の等高線プロット図である。
【図１５】図１５は、実施例に従う接触要素の更なる配置である。
【図１６】図１６は、図１５に従うＥＬ装置の光出力の等高線プロット図である。
【図１７】図１７は、複数のＥＬ装置タイルのパターンからなるＥＬ装置である。
【図１】
2009529760.tif 000003
【図２】
2009529760.tif 000004
【図３ａ】
2009529760.tif 000005
【図３ｂ】
2009529760.tif 000006
【図４】
2009529760.tif 000007
【図５ａ】
2009529760.tif 000008
【図５ｂ】
2009529760.tif 000009
【図６】
2009529760.tif 000010
【図７ａ】
2009529760.tif 000011
【図７ｂ】
2009529760.tif 000012
【図８】
2009529760.tif 000013
【図９ａ】
2009529760.tif 000014
【図９ｂ】
2009529760.tif 000015
【図１０】
2009529760.tif 000016
【図１１ａ】
2009529760.tif 000017
【図１１ｂ】
2009529760.tif 000018
【図１２】
2009529760.tif 000019
【図１３ａ】
2009529760.tif 000020
【図１３ｂ】
2009529760.tif 000021
【図１４】
2009529760.tif 000022
【図１５ａ】
2009529760.tif 000023
【図１５ｂ】
2009529760.tif 000024
【図１６】
2009529760.tif 000025
【図１７】
2009529760.tif 000026
【国際調査報告】
2009529760.tif 000027
2009529760.tif 000028